(57)【特許請求の範囲】
【請求項１】
物体側から順に、負の屈折力を持つ第１レンズ群、正の屈折力を持つ第２レンズ群、及び負の屈折力を持つ第３レンズ群から構成され、短焦点距離端から長焦点距離端への変倍に際し、第１レンズ群と第２レンズ群のレンズ群間隔が減少し、第２レンズ群と第３レンズ群のレンズ群間隔が減少するズームレンズ系において、
第３レンズ群を、物体側から順に、像側に凹面を向けた負レンズ、像側に凸面を向けた正レンズ、及び像側に凸面を向けた負レンズの３枚のレンズで構成し、且つ、次の条件式（１）を満足することを特徴とするズームレンズ系。
（１）０．８＜ｆ３ａ／ｆ３ｃ＜３．０
但し、
ｆ３ａ：第３レンズ群中の最も物体側の負レンズの焦点距離、
ｆ３ｃ：第３レンズ群中の最も像側の負レンズの焦点距離。
【請求項２】
請求項１記載のズームレンズ系において、第３レンズ群はフォーカシング時に移動するフォーカスレンズ群であり、次の条件式（２）を満足するズームレンズ系。
（２）０．６５ ＜ Ｚ３／Ｚ ＜ ０．８０
但し、
Ｚ３＝ｍ３ｔ／ｍ３ｗ
Ｚ＝ｆｔ／ｆｗ
ｍ３ｔ：長焦点距離端における無限遠合焦時の第３レンズ群の横倍率、
ｍ３ｗ：短焦点距離端における無限遠合焦時の第３レンズ群の横倍率、
ｆｔ：長焦点距離端における全系の焦点距離、
ｆｗ：短焦点距離端における全系の焦点距離。
【請求項３】
請求項１または２記載のズームレンズ系において、次の条件式（３）及び（４）を満足するズームレンズ系。
（３）１．０＜ｆ１／ｆ３＜２．５
（４）−０．９０＜ｆ２／ｆ３＜−０．６０
但し、
ｆ１：第１レンズ群の焦点距離、
ｆ２：第２レンズ群の焦点距離、
ｆ３：第３レンズ群の焦点距離。
【請求項４】
請求項１ないし３のいずれか１項記載のズームレンズ系と、該ズームレンズ系によって形成される像を電気的信号に変換する撮像素子とを有することを特徴とする電子撮像装置。
【発明の詳細な説明】
【技術分野】
【０００１】
本発明は、ズームレンズ系及びこれを用いた電子撮像装置に関する。
【背景技術】
【０００２】
デジタルカメラ市場は、より小型化・高変倍化の流れがある一方で、より高画質への要望も高まっている。高画質を得るための手段として、例えばＡＰＳサイズの大きな撮像素子が用いられることがある。一眼レフカメラは撮像素子が大きく高画質な画像を得られる反面、システム全体が大きく重いため、小型化の要求に応えきれない。近年、一眼レフカメラの最大の特徴であるミラーを取り除き、光学ファインダーを使用しない、いわゆるミラーレス一眼カメラが提案されているが、十分な小型化が達成できているとは言えない。また、小型化を追求したレンズシャッター用ズームレンズも提案されているが、撮像面への入射角度が浅く、デジタル撮像素子での使用は現実的ではない。
【０００３】
従来、例えばＡＰＳサイズの大きな撮像素子を用いることを想定したズームレンズ系として、物体側から順に、負の第１レンズ群、正の第２レンズ群、及び負の第３レンズ群の３群構成を有するものが知られている。第３レンズ群は、物体側から順に配置された負レンズ及び正レンズの２枚構成、又は物体側から順に配置された正レンズ及び負レンズの２枚構成を採るのが主流である。
【先行技術文献】
【特許文献】
【０００４】
【特許文献１】特開２００１−２９００７６号公報
【特許文献２】特開２００２−２２１６６０号公報
【特許文献３】特開２００９−２５５３４号公報
【発明の概要】
【発明が解決しようとする課題】
【０００５】
しかし、第３レンズ群を物体側から順に配置された負レンズ及び正レンズの２枚構成とした前者のズームレンズ系は、テレセン性を向上させるには有利だが、負の第１レンズ群で発生した倍率色収差、非点収差、歪曲収差、球面収差、などの諸収差を良好に補正することができない。また、第３レンズ群を構成する物体側の負レンズと像側の正レンズが局所的なレトロフォーカス構成となるため、レンズ全長の増大が避けられない。
一方、第３レンズ群を物体側から順に配置された正レンズ及び負レンズの２枚構成とした後者のズームレンズ系は、第３レンズ群の負のパワーを担保させるために像側の負レンズのパワーを大きくせざるを得ず、物体側の正レンズと像側の負レンズのパワーバランスが良くない。
【０００６】
本発明は、上記の問題意識に基づいて完成されたものであり、負正負の３群レンズ構成において、例えばＡＰＳサイズの大きな撮像素子を用いながら、コンパクトで優れた光学性能を持つズームレンズ系及びこれを用いた電子撮像装置を得ることを目的とする。
【課題を解決するための手段】
【０００７】
本発明のズームレンズ系は、物体側から順に、負の屈折力を持つ第１レンズ群、正の屈折力を持つ第２レンズ群、及び負の屈折力を持つ第３レンズ群から構成され、短焦点距離端から長焦点距離端への変倍に際し、第１レンズ群と第２レンズ群のレンズ群間隔が減少し、第２レンズ群と第３レンズ群のレンズ群間隔が減少するズームレンズ系において、第３レンズ群を、物体側から順に、像側に凹面を向けた負レンズ、像側に凸面を向けた正レンズ、及び像側に凸面を向けた負レンズの３枚のレンズで構成し、且つ、次の条件式（１）を満足することを特徴としている。
（１）０．８＜ｆ３ａ／ｆ３ｃ＜３．０
但し、
ｆ３ａ：第３レンズ群中の最も物体側の負レンズの焦点距離［mm］、
ｆ３ｃ：第３レンズ群中の最も像側の負レンズの焦点距離［mm］、
である。
【０００９】
本発明のズームレンズ系は、第３レンズ群をフォーカシング時に移動するフォーカスレンズ群とすることが実際的である。この場合、さらに次の条件式（２）を満足することが好ましい。
（２）０．６５ ＜ Ｚ３／Ｚ ＜ ０．８０
但し、
Ｚ３＝ｍ３ｔ／ｍ３ｗ
Ｚ＝ｆｔ／ｆｗ
ｍ３ｔ：長焦点距離端における無限遠合焦時の第３レンズ群の横倍率、
ｍ３ｗ：短焦点距離端における無限遠合焦時の第３レンズ群の横倍率、
ｆｔ：長焦点距離端における全系の焦点距離[mm]、
ｆｗ：短焦点距離端における全系の焦点距離[mm]、
である。
【００１０】
本発明のズームレンズ系は、次の条件式（３）及び（４）を満足することが好ましい。
（３）１．０＜ｆ１／ｆ３＜２．５
（４）−０．９０＜ｆ２／ｆ３＜−０．６０
但し、
ｆ１：第１レンズ群の焦点距離[mm]、
ｆ２：第２レンズ群の焦点距離[mm]、
ｆ３：第３レンズ群の焦点距離[mm]、
である。
【００１１】
本発明の電子撮像装置は、以上のズームレンズ系と、このズームレンズ系によって形成される像を電気的信号に変換する撮像素子とを有することを特徴としている。
【発明の効果】
【００１２】
本発明によれば、負正負の３群レンズ構成において、例えばＡＰＳサイズの大きな撮像素子を用いながら、コンパクトで優れた光学性能を持つズームレンズ系及びこれを用いた電子撮像装置を得ることができる。
【図面の簡単な説明】
【００１３】
【図１】本発明によるズームレンズ系の数値実施例１の長焦点距離端における無限遠合焦時のレンズ構成図である。
【図２】図１の構成における諸収差図である。
【図３】同数値実施例１の短焦点距離端における無限遠合焦時のレンズ構成図である。
【図４】図３の構成における諸収差図である。
【図５】本発明によるズームレンズ系の数値実施例２の長焦点距離端における無限遠合焦時のレンズ構成図である。
【図６】図５の構成における諸収差図である。
【図７】同数値実施例２の短焦点距離端における無限遠合焦時のレンズ構成図である。
【図８】図７の構成における諸収差図である。
【図９】本発明によるズームレンズ系の数値実施例３の長焦点距離端における無限遠合焦時のレンズ構成図である。
【図１０】図９の構成における諸収差図である。
【図１１】同数値実施例３の短焦点距離端における無限遠合焦時のレンズ構成図である。
【図１２】図１１の構成における諸収差図である。
【図１３】本発明によるズームレンズ系のズーム軌跡を示す簡易移動図である。
【発明を実施するための形態】
【００１４】
本実施形態のズームレンズ系は、図１３の簡易移動図に示すように、物体側から順に、負の屈折力を持つ第１レンズ群Ｇ１、正の屈折力を持つ第２レンズ群Ｇ２、及び負の屈折力を持つ第３レンズ群Ｇ３から構成されている。第１レンズ群Ｇ１と第２レンズ群Ｇ２の間に位置する絞りＳは、第２レンズ群Ｇ２と一体に移動する。Ｉは像面である。第３レンズ群Ｇ３は、フォーカシング時に移動するフォーカスレンズ群である（無限遠物体から有限距離物体へ合焦させるに際し第３レンズ群を像側に移動させてフォーカシングを行う）。
【００１５】
このズームレンズ系は、短焦点距離端（ＷＩＤＥ）から長焦点距離端（ＴＥＬＥ）への変倍（ズーミング）に際し、第１レンズ群Ｇ１と第２レンズ群Ｇ２のレンズ群間隔が減少し、第２レンズ群Ｇ２と第３レンズ群Ｇ３のレンズ群間隔が減少する。
より具体的には、図１３の簡易移動図に示すように、全数値実施例１−３を通じて、短焦点距離端から長焦点距離端への変倍に際し、第１レンズ群Ｇ１ないし第３レンズ群Ｇ３の全てが単調に物体側に移動する。
【００１６】
第１レンズ群Ｇ１は、全数値実施例１−３を通じて、物体側から順に、負レンズ１１及び正レンズ１２の２枚のレンズで構成されている。
【００１７】
第２レンズ群Ｇ２は、全数値実施例１−３を通じて、物体側から順に、物体側から順に位置する正レンズ２１と負レンズ２２の接合レンズ、及び正レンズ２３の３枚のレンズで構成されている。正レンズ２３は、全数値実施例１−３を通じて、その両面が非球面である。
【００１８】
第３レンズ群Ｇ３は、全数値実施例１−３を通じて、物体側から順に、負レンズ（像側に凹面を向けた負レンズ）３１、正レンズ（像側に凸面を向けた正レンズ）３２、及び負レンズ（像側に凸面を向けた負レンズ）３３の３枚のレンズで構成されている。負レンズ３１は、全数値実施例１−３を通じて、その物体側の面が非球面である。正レンズ３２は、数値実施例１−２では、その両面が非球面であり、数値実施例３では、その像側の面が非球面である。
【００１９】
本実施形態のズームレンズ系は、短焦点距離端においては、負の前群（第１レンズ群Ｇ１）と正の後群（第２レンズ群Ｇ２と第３レンズ群Ｇ３）のレトロフォーカスタイプの構成としてテレセン性を向上させ、長焦点距離端においては、正の前群（第１レンズ群Ｇ１と第２レンズ群Ｇ２）と負の後群（第３レンズ群Ｇ３）のテレフォトタイプの構成としてレンズ全長を短縮させている。これにより、テレセン性の向上とレンズ全長の短縮化を両立させている。
【００２０】
負の第３レンズ群Ｇ３は、テレセン性を向上させるためには、物体側から順に負レンズ及び正レンズを配置することが適している。しかし、第３レンズ群Ｇ３を物体側から順に配置された負レンズ及び正レンズの２枚構成とすると、負の第１レンズ群Ｇ１で発生した倍率色収差、非点収差、歪曲収差、球面収差、などの諸収差を良好に補正することができない。
そこで本実施の形態では、第３レンズ群Ｇ３の最も像側に負レンズを配置して、第３レンズ群Ｇ３を物体側から順に配置された負レンズ、正レンズ及び負レンズの３枚構成（２枚の負レンズの間に正レンズを介在させた構成）とすることで、テレセン性を向上させるとともに、第１レンズ群Ｇ１で発生した諸収差の残存収差を第３レンズ群Ｇ３で良好に補正できるようにしている。そしてこの効果は、第３レンズ群Ｇ３を、物体側から順に、像側に凹面を向けた負レンズ、像側に凸面を向けた正レンズ、及び像側に凸面を向けた負レンズの３枚のレンズで構成したときに最も顕著に得られる。
【００２１】
条件式（１）は、第３レンズ群Ｇ３中の最も物体側の負レンズの焦点距離と、第３レンズ群Ｇ３中の最も像側の負レンズの焦点距離との割合を規定しており、テレセン性を向上させるとともに、第１レンズ群Ｇ１で発生した諸収差を良好に補正するための条件式である。
条件式（１）の上限を超えると、第３レンズ群Ｇ３中の最も像側の負レンズのパワーが強くなりすぎて、第１レンズ群Ｇ１で発生した諸収差を補正するのには有利だが、テレセン性を維持するのが困難になる。
条件式（１）の下限を超えると、第３レンズ群Ｇ３中の最も物体側の負レンズのパワーが強くなりすぎて、テレセン性の向上には有利だが、第１レンズ群Ｇ１で発生した諸収差の補正が困難になる。
【００２２】
上述したように、第３レンズ群Ｇ３は、フォーカシング時に移動するフォーカスレンズ群である。
条件式（２）はこの構成において、長焦点距離端における無限遠合焦時の第３レンズ群Ｇ３の横倍率と短焦点距離端における無限遠合焦時の第３レンズ群Ｇ３の横倍率の比（第３レンズ群Ｇ３のズーム比）と、長焦点距離端における全系の焦点距離と短焦点距離端における全系の焦点距離の比（レンズ全系のズーム比）との割合を規定しており、ズーム時のピントずれを防止するための条件式である。つまり条件式（２）を満足することで、レンズ全系のズーム比の変化と、フォーカスレンズ群である第３レンズ群Ｇ３のピント感度の変化を揃えて、ズーム時のピントずれを防止することができる。
条件式（２）の上限と下限のいずれを超えても、ズーム時のピントずれが大きくなってしまう。
【００２３】
条件式（３）は、第１レンズ群Ｇ１の焦点距離と、第３レンズ群Ｇ３の焦点距離との割合を規定しており、テレセン性の向上と小型化を両立するための条件式である。
条件式（３）の上限を超えると、第３レンズ群Ｇ３のパワーが強くなりすぎて、小型化には有利だが、テレセン性が悪くなって好ましくない。
条件式（３）の下限を超えると、第３レンズ群Ｇ３のパワーが弱くなりすぎて、十分な小型化を達成することができない。
【００２４】
条件式（４）は、第２レンズ群Ｇ２の焦点距離と、第３レンズ群Ｇ３の焦点距離との割合を規定しており、収差補正とテレセン性の向上を両立するための条件式である。
条件式（４）の上限を超えると、第２レンズ群Ｇ２のパワーが強くなりすぎて、特に長焦点距離端における球面収差とコマ収差の補正が困難となる。
条件式（４）の下限を超えると、第３レンズ群Ｇ３のパワーが強くなりすぎて、テレセン性が悪くなって好ましくない。
【実施例】
【００２５】
次に具体的な数値実施例を示す。以下の数値実施例は、本発明のズームレンズ系をデジタルカメラ等に用いる場合に対応している。諸収差図及び表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００２６】
［数値実施例１］
図１〜図４と表１〜表４は、本発明によるズームレンズ系の数値実施例１を示している。図１は長焦点距離端における無限遠合焦時のレンズ構成図、図２はその諸収差図であり、図３は短焦点距離端における無限遠合焦時のレンズ構成図、図４はその諸収差図である。表１は面データ、表２は各種データ、表３は非球面データ、表４はレンズ群データである。
【００２７】
本数値実施例１のズームレンズ系は、物体側から順に、負の屈折力を持つ第１レンズ群Ｇ１、正の屈折力を持つ第２レンズ群Ｇ２、及び負の屈折力を持つ第３レンズ群Ｇ３から構成されている。第３レンズ群Ｇ３は、フォーカシング時に移動するフォーカスレンズ群である（無限遠物体から有限距離物体へ合焦させるに際し第３レンズ群Ｇ３を像側に移動させてフォーカシングを行う）。
【００２８】
第１レンズ群Ｇ１（面番号１から４）は、物体側から順に、両凹負レンズ１１、及び物体側に凸の正メニスカスレンズ１２からなる。
【００２９】
第２レンズ群Ｇ２（面番号６から１０）は、物体側から順に、物体側から順に位置する両凸正レンズ２１と像側に凸の負メニスカスレンズ２２の接合レンズ、及び両凸正レンズ２３からなる。両凸正レンズ２３は、その両面が非球面である。第１レンズ群Ｇ１と第２レンズ群Ｇ２の間に位置する絞りＳ（面番号５）は、第２レンズ群Ｇ２と一体に移動する。
【００３０】
第３レンズ群Ｇ３（面番号１１から１６）は、物体側から順に、両凹負レンズ（像側に凹面を向けた負レンズ）３１、像側に凸の正メニスカスレンズ（像側に凸面を向けた正レンズ）３２、及び像側に凸の負メニスカスレンズ（像側に凸面を向けた負レンズ）３３からなる。両凹負レンズ３１は、その物体側の面が非球面である。正メニスカスレンズ３２は、その両面が非球面である。第３レンズ群Ｇ３（負メニスカスレンズ３３）の後方（像面Ｉとの間）には、光学フィルタＯＰ（面番号１７から１８）が配置されている。
【００３１】
（表１）
面データ
面番号          r          d          N(d)        νｄ
1         -1334.671      1.200      1.61800       63.4
2            12.871      3.300
3            16.395      2.200      1.84666       23.8
4            25.167        d4
5絞            ∞        1.000
6            14.140      4.215      1.49700       81.6
7           -15.047      1.100      1.90366       31.3
8           -75.813      2.834
9*           29.029      3.823      1.59201       67.0
10*         -17.340       d10
11*        -104.029      1.500      1.52538       56.3
12           25.683      1.215
13*         -54.738      2.360      1.63548       23.9
14*         -28.914      4.225
15           -8.870      1.200      1.58913       61.2
16          -19.156       d16
17             ∞        2.000      1.51633       64.1
18             ∞          -
＊は回転対称非球面である。
（表２）
各種データ
ズーム比（変倍比）    2.85
短焦点距離端          中間焦点距離          長焦点距離端
FNO.            3.6                   4.9                   6.7
f             18.60                 28.01                 53.00
W              43.0                  28.2                  15.1
Y             14.24                 14.24                 14.24
fB             3.00                  3.00                  3.00
L             59.72                 61.65                 73.30
d4           16.072                10.253                 2.000
d10           5.471                 3.178                 1.354
d16           3.003                13.049                34.774
（表３）
非球面データ（表示していない非球面係数は0.00である）
面番号   K            A4             A6             A8
9      0.000    -0.3003E-04     0.5680E-06     0.6042E-08
10     0.000     0.1112E-03     0.3802E-06     0.8883E-08
11     0.000     0.5288E-04    -0.4674E-07
13     0.000     0.1021E-03     0.2720E-05    -0.6838E-08
14     0.000     0.5377E-04     0.1964E-05     0.6335E-08
（表４）
レンズ群データ
群          始面          焦点距離
1              1            -36.83
2              6             15.68
3             11            -19.04
【００３２】
［数値実施例２］
図５〜図８と表５〜表８は、本発明によるズームレンズ系の数値実施例２を示している。図５は長焦点距離端における無限遠合焦時のレンズ構成図、図６はその諸収差図であり、図７は短焦点距離端における無限遠合焦時のレンズ構成図、図８はその諸収差図である。表５は面データ、表６は各種データ、表７は非球面データ、表８はレンズ群データである。
【００３３】
この数値実施例２のレンズ構成は、以下の点を除き、数値実施例１のレンズ構成と同様である。
（１）第２レンズ群Ｇ２の正レンズ２３が、像側に凸の正メニスカスレンズである。
（２）第３レンズ群Ｇ３の負レンズ３１が、物体側に凸の負メニスカスレンズである。
【００３４】
（表５）
面データ
面番号          r          d          N(d)        νｄ
1          -617.730      1.200      1.61800       63.4
2            13.287      3.300
3            16.041      2.200      1.84666       23.8
4            23.384        d4
5絞            ∞        1.000
6            13.168      4.600      1.49700       81.6
7           -13.157      1.100      1.90366       31.3
8           -42.053      1.771
9*         -113.546      4.460      1.59201       67.0
10*         -12.046       d10
11*         176.416      1.500      1.52538       56.3
12           20.741      1.610
13*         -79.945      2.360      1.60641       27.2
14*         -29.955      3.830
15           -8.993      1.200      1.58913       61.2
16          -21.985       d16
17             ∞        2.000      1.51633       64.1
18             ∞          -
＊は回転対称非球面である。
（表６）
各種データ
ズーム比（変倍比）    2.85
短焦点距離端          中間焦点距離          長焦点距離端
FNO.            3.6                   4.8                   6.7
f             18.60                 28.01                 53.00
W              43.0                  28.3                  15.1
Y             14.24                 14.24                 14.24
fB             4.00                  4.00                  4.00
L             60.13                 61.46                 73.25
d4           16.070                 9.971                 2.000
d10           5.746                 3.401                 1.394
d16           2.178                11.960                33.728
（表７）
非球面データ（表示していない非球面係数は0.00である）
面番号   K            A4             A6             A8
9      0.000    -0.1929E-03    -0.9473E-06
10     0.000     0.1392E-04    -0.3276E-06
11     0.000     0.2739E-04     0.1642E-06
13     0.000     0.4397E-04     0.1392E-05     0.6448E-08
14     0.000    -0.2479E-04     0.7396E-06     0.1127E-07
（表８）
レンズ群データ
群          始面          焦点距離
1              1            -36.01
2              6             16.09
3             11            -20.16
【００３５】
［数値実施例３］
図９〜図１２と表９〜表１２は、本発明によるズームレンズ系の数値実施例３を示している。図９は長焦点距離端における無限遠合焦時のレンズ構成図、図１０はその諸収差図であり、図１１は短焦点距離端における無限遠合焦時のレンズ構成図、図１２はその諸収差図である。表９は面データ、表１０は各種データ、表１１は非球面データ、表１２はレンズ群データである。
【００３６】
この数値実施例３のレンズ構成は、以下の点を除き、数値実施例１のレンズ構成と同様である。
（１）第１レンズ群Ｇ１の負レンズ１１が、物体側に凸の負メニスカスレンズである。
（２）第３レンズ群Ｇ３の負レンズ３１が、物体側に凸の負メニスカスレンズである。
（３）第３レンズ群Ｇ３の正メニスカスレンズ３２が、その像側の面が非球面である。
【００３７】
（表９）
面データ
面番号          r          d          N(d)        νｄ
1           436.154      1.200      1.61800       63.4
2            12.090      3.223
3            14.679      2.275      1.84666       23.8
4            21.358        d4
5絞            ∞        2.550
6            15.119      5.946      1.49700       81.6
7           -12.709      3.801      1.90366       31.3
8           -42.498      1.130
9*           58.643      3.725      1.59201       67.0
10*         -16.736       d10
11*          35.815      1.500      1.52538       56.3
12           15.480      3.177
13          -37.301      2.498      1.60641       27.2
14*         -20.712      2.579
15          -10.047      1.200      1.60311       60.7
16          -26.977       d16
17             ∞        2.000      1.51633       64.1
18             ∞          -
＊は回転対称非球面である。
（表１０）
各種データ
ズーム比（変倍比）    2.85
短焦点距離端          中間焦点距離          長焦点距離端
FNO.            3.6                   4.9                   6.7
f             18.60                 28.00                 52.99
W              43.0                  28.5                  15.2
Y             14.24                 14.24                 14.24
fB             1.00                  1.00                  1.00
L             62.41                 65.34                 81.45
d4           13.529                 8.613                 2.000
d10           7.464                 4.095                 1.000
d16           3.617                14.826                40.651
（表１１）
非球面データ（表示していない非球面係数は0.00である）
面番号   K            A4             A6             A8
9      0.000    -0.6450E-04     0.3340E-06
10     0.000     0.3484E-04     0.3835E-06
11     0.000     0.2090E-04     0.3044E-06
14     0.000    -0.5136E-04    -0.2850E-06    -0.3297E-09
（表１２）
レンズ群データ
群          始面          焦点距離
1              1            -35.84
2              6             17.07
3             11            -22.63
【００３８】
各数値実施例の各条件式に対する値を表１３に示す。
（表１３）
実施例１       実施例２       実施例３
条件式（１）        1.33           1.68           1.95
条件式（２）        0.72           0.71           0.75
条件式（３）        1.93           1.79           1.58
条件式（４）       -0.82          -0.80          -0.75
【００３９】
表１３から明らかなように、数値実施例１〜数値実施例３は、条件式（１）〜（４）を満足しており、また諸収差図から明らかなように諸収差は比較的よく補正されている。
【符号の説明】
【００４０】
Ｇ１  負の屈折力を持つ第１レンズ群
１１  負レンズ
１２  正レンズ
Ｇ２  正の屈折力を持つ第２レンズ群
２１  正レンズ
２２  負レンズ
２３  正レンズ
Ｇ３  負の屈折力を持つ第３レンズ群
３１  負レンズ（像側に凹面を向けた負レンズ）
３２  正レンズ（像側に凸面を向けた正レンズ）
３３  負レンズ（像側に凸面を向けた負レンズ）
ＯＰ  光学フィルタ
Ｓ  絞り
Ｉ  像面
【図１】
0005615674.tif 000002
【図２】
0005615674.tif 000003
【図３】
0005615674.tif 000004
【図４】
0005615674.tif 000005
【図５】
0005615674.tif 000006
【図６】
0005615674.tif 000007
【図７】
0005615674.tif 000008
【図８】
0005615674.tif 000009
【図９】
0005615674.tif 000010
【図１０】
0005615674.tif 000011
【図１１】
0005615674.tif 000012
【図１２】
0005615674.tif 000013
【図１３】
0005615674.tif 000014